(57)【要約】【課題】  歯科臨床において、顎の中心関係および顎運動の記録を行う際に用いる口腔内描記装置に関する。【解決手段】  上顎プレ−トと、下顎プレ−トおよびこれらを連結する連結器具から成り、連結孔、スタッド取付孔および描記ピン取付孔並びに、前記連結孔の一部又は全体がマグネットによって形成される、口腔内描記装置において、３Ｄ（スリーディメンション）斜面の形態を有する合成樹脂から成る下顎誘導ガイドプレートと描記板を有する指導描記テーブルを下顎プレ−ト本体に圧着、嵌め合い、着脱自在にしてなることを特徴とする、口腔内描記装置により達成され、また３Ｄ（スリーディメンション）斜面の形態を有する下顎誘導ガイドプレート、２０°〜５０°の角度を有する複数枚から成り、着脱自在に適宜選択、嵌め合うことが出来、さらにまた下顎プレート連結部補助具の側壁に溝を儲け、且つその前後に２本のピンを設けたことを特徴とする、口腔内描記装置により達成される。【選択図】  図１
2007075478.tif 000002
【特許請求の範囲】
【請求項１】
上顎プレ−トと、下顎プレ−ト，およびこれらを連結する連結器具から成り、前記上顎プレ−トは、Ｕ字形をした上顎プレ−ト本体のほぼ中央に、指導支柱スタッドを連結するための下方に開口された連結孔と、上顎プレ−ト本体の前方に延出された前端部の先端に描記ピンを取付けるための下向きに開口された描記ピン取付孔と、上顎プレ−ト本体の後端部に対称的にそれぞれ下向きに突設された二個の運動路を記録するための補助スタッドとを備え、
前記下顎プレ−トは、Ｕ字形又はＶ字状をした下顎プレ−ト本体の中央部に、指導描記テーブル、下顎プレ−ト本体のＵ字形の後端部に対称的にそれぞれ運動路形成テ−ブルとを備え、
前記連結器具は、上顎プレ−トと連結するためのスタッドを備えた上顎プレ−ト連結部と、下顎プレ−トと連結するためのスタッドとを備えた下顎プレ−ト連結部と、上顎プレ−ト連結部と下顎プレ−ト連結部とを連結するプレ−ト間隔固定ネジとを備え、
前記上顎プレ−トに設けられた連結孔、スタッド取付孔及び描記ピン取付孔並びに前記下顎プレ−トに設けられた連結孔の一部又は全体がマグネットによって形成されている、口腔内描記装置において、
３Ｄ（スリーディメンション）斜面の形態を有する合成樹脂から成る下顎誘導ガイドプレートと描記板を有する指導描記テーブルを下顎プレ−ト本体に圧着、嵌め合い、着脱自在にしてなることを特徴とする、口腔内描記装置。
【請求項２】
前記口腔内描記装置において、３Ｄ（スリーディメンション）斜面の形態を有する合成樹脂製下顎誘導ガイドプレートが、２０°〜５０°の角度を有する複数枚から成り、着脱自在に適宜選択、嵌め合うことが出来ることを特徴とする、請求項１に記載の口腔内描記装置。
【請求項３】
下顎プレート本体に指導描記テーブル及び下顎プレート連結部を設置する前記口腔内描記装置において、各部材をマグネットにて構成し、下顎プレート連結補助具の側壁に溝を儲け、且つその前後に２本のピンを設けたことを特徴とする、請求項１または２に記載の口腔内描記装置。
【発明の詳細な説明】
【技術分野】
【０００１】
本発明は、歯科臨床において、顎の中心関係および顎運動の記録を行う際に用いる口腔内描記装置に関し、特に３Ｄ（スリーディメンション）斜面の形態を有する合成樹脂から成る下顎誘導ガイドプレートと描記板を有する指導描記テーブルを下顎プレ−ト本体に圧着、嵌め合い、着脱自在にし、また適宜角度を有する３Ｄ斜面の形態を有する下顎誘導ガイドプレートを有する口腔内描記装置に関する。
【背景技術】
【０００２】
昨今の歯科臨床において、インプラントやセラミックなどの最先端材料の歯科補綴物を用いたケ−スが多くなると共に、顎の動きや、顎が安定する位置を正確に測定、記録することの必要性が認識されてきている。また、歯科補綴物が装着された口腔内の健康を長期間維持させるうえでも、顎の動きや、顎が安定する位置を正確に測定、記録することが歯科補綴物の製作にあたって不可欠の条件となっている。
【０００３】
従来、この顎の中心関係および下顎の運動の測定、記録法で用いられている代表的なものには、チェックバイト法、パントグラフ法、チュ−イン法がある。なかでも描記装置を用いたチェックバイト法は最も広く採用されている測定、記録方法である。
【０００４】
このチェックバイト法に用いられる描記装置は、上顎に描記ピンを取付け、さらに下顎に平面の描記板を取付ける様式の装置であり、下顎を前方、側方へ誘導させることによって描記板上に水平的な下顎運動路を描くことが可能となっている。この下顎運動路は、一つの頂点を持つ矢尻状の３本の線で構成され、この描記図はゴシックア−チと呼ばれている。この３本の線が交じわった先端がいわゆるアペックスと称されている。描記されたゴシックアーチのアペックスを中心位として、水平的な顎位が決定され、無歯顎（いわゆる総入れ歯の症例）の患者にも応用されてきていた。
【０００５】
上述したゴシックアーチ・トレーサーを有歯顎やインプラントの症例に使用する場合には、描記板が平面であるために、咬合高径を挙上、すなわち口を開いた状態でなければ描記できない。また、このゴシックアーチ・トレーサーでは必要以上に咬合高径を挙上される場合があり、患者の負担増となっていた。そして、この咬合高径を挙上された状態では、自然な下顎運動ができず、正しい中心位が求められず、不具合があった。このように、咬合高径を挙上しないことが正しい中心位を求める上で、大切な条件となっていた。
【０００６】
上述のゴシックアーチ・トレーサーは、太い線で描記されるため、アペックスの位置も確認し難い上に、歯が接触しないように十分なクリアランス（上下の歯が接触しないための隙間）が必要となるため、上述のように不具合も多くみられていた。
【０００７】
また、顎の中心関係の記録および下顎運動の記録はこのゴシックア−チに基づき、チェックバイト法によってパラフィンワックスなどに記録される。顎の中心関係および下顎運動を精密に記録するためには、このゴシックア−チを高い精度で描記する必要がある。
【０００８】
下記の特公昭５９−１８０５３号公報（特許第１２４５６９２号）に示された口腔内描記装置では、無歯顎患者のみならず、局部床義歯の症例や、有歯顎患者の症例においても正確な記録を行い得るものとして知られ、歯科臨床において多く用いられている。
【０００９】
この公報に示された口腔内描記装置は、図６及び図７に示す上顎プレ−トＡと、図９及び図１１に示す下顎プレ−トＢと、図１３に示す連結器具Ｃとから構成されており、図１４、図１５に示すように口腔内に装着されてゴシックア−チの描記と、チェックバイトの採得が行われる。
【００１０】
図６に示す上顎プレ−トＡは、Ｕ字形をした上顎プレ−ト本体ａのほぼ中央に下向きに突設され、かつ突端に回転球４を有する指導支柱スタッド２と、上顎プレ−ト本体ａの後端部に対称的にそれぞれ下向きに設けられた二個の補助スタッド３、３および上顎プレ−ト本体ａの前端部ｅに下向きに突設され円筒状保持部２４を有するピン装置ｆを備えている。
【００１１】
図７は、図６Ａ２−Ａ２の断面を示す。図７によれば、顎運動の誘導を行い垂直顎間隔距離を保持するために、自由に長さを調節できる前記支柱スタッド２と、長さを調節したところで指導支柱スタッド２を固定するスタッド固定ネジ８が設けられている。又、前記ピン装置ｆの中空な円筒状保持部２４にはゴシックア−チを描記するための描記ピン１が着脱可能に取付けられ、この描記ピン１を固定するためのピン保持装置ｈが設けられている。
【００１２】
図８は前記ピン装置ｆの要部を示す。図８に示す如く前記ピン保持装置ｈは、描記ピン１を押さえるピンストッパ−５及び弾力材６、弾力材止ネジ７により構成されている。又、描記ピン１の外周には下向きの圧力を保持するピン用スプリング２３が取付けられている。
【００１３】
図９は下顎プレ−トＢを後方から示した正面図である。図９に示すように下顎プレ−トＢは、下顎プレ−ト本体ｂと記録床連結部ｄから成る。下顎プレ−ト本体ｂは、その先端部に設けられた描記板９ａを取付けるための描記テ−ブル９と、中央部に設けられ指導板１０ａを取付けるための指導テ−ブル１０とを備え、Ｕ字形の記録床連結部ｄは、その後端部に対称的にそれぞれ設けられた運動路記録１１ａを取付けるための運動路形成テ−ブル１１、１１の二個のテ−ブルを備えている。下顎プレ−ト本体ｂと記録床連結部ｄは下顎プレ−ト本体固定ネジ２５、２５で着脱可能に固定されている。
【００１４】
図１０は、口腔内で最前方に位置する前記描記テ−ブル９を示す。この描記テ−ブル９の表面には描記板９ａが形成される。この描記板９ａは、描記テ−ブル９表面に載置された即時重合レジンなどの可塑材料からなり、前記上顎プレ−トＡに取付けられた描記ピン１の先端の針と当接して、描記ピン１の動きをゴシックア−チとして記録する。
【００１５】
図１１は下顎プレ−トＢの断面を示す。前記指導テ−ブル１０には加工可能な樹脂による指導板１０ａが取付けられる。この指導板１０ａは前記上顎プレ−トＡに取付けられた指導支柱スタッド２と対応して立体的な傾斜面に形成され、患者固有の切歯路角を記録すると共に、指導支柱スタッド２と当接して滑走させるガイドとなり、運動路記録を記録するための顎運動を誘導する。この指導板１０ａは図１２に示すように指導板固定ネジ２６により指導テ−ブル１０に連結されている。
【００１６】
又、前記運動路形成テ−ブル１１、１１にはパテ状のシリコンラバ−などの可塑性のある材料を載置して運動路記録１１ａを形成する。この運動路記録１１ａは、前記指導板１０ａに記録された切歯路角上を指導支柱スタッド２を滑走させながら患者の顎を誘導することにより、上顎プレ−トＡの補助スタッド３、３が可塑性のシリコンラバ−等の上に立体的に彫刻することにより記録形成される。      
【００１７】
図１３に示す連結器具Ｃは、連結シャフト１４、上顎プレ−トサポ−タ１５、下顎プレ−トサポ−タ１６、プレ−ト間隔固定ネジ１７及び下顎プレ−トＢを連結する連結ネジ１３とで構成されている。この連結器具Ｃ、上顎プレ−トＡと下顎プレ−トＢを連結し、図１４及び図１５に示す記録床Ｘ、Ｙに、上顎プレ−トＡと下顎プレ−トＢを装着する取付け作業を行うために用いられるものである。上顎プレ−トＡ、下顎プレ−トＢがそれぞれ取付けられた記録床Ｘ、Ｙは連結器具Ｃから外されて、セメントなどの接着剤で口腔内に固定される。
【００１８】
またさらに下記の、本発明者による、特開２０００−３４２６０８号公報に開示の発明によれば、口腔内描記装置において、従来樹脂プレートを手でネジ止めして一体化しており、ネジを多く使うことによる、口腔内での危険防止のため、ピンなどの部材をマグネット化した技術が開示されている。
【特許文献１】特公昭５９ー１８０５３号公報（特許第１２４５６９２号）
【特許文献２】特開２０００ー３４２６０８号公報
【発明の開示】
【発明が解決しようとする課題】
【００１９】
しかしながら、従来の口腔内描記装置では、ピン装置ｆは、描記板９ａの記録形成工程、ゴシックア−チ描記工程及びチェックバイト採得工程で描記板形成用ピン１９、描記ピン１及び顎固定ピン１８がそれぞれ着脱される構造が複雑であり、弾力材６が破損するなどの故障が生じる問題があった。
【００２０】
指導支柱スタッド２の本体は雄ネジとなっており、指導支柱スタッド２のネジ部を回し、垂直顎間距離を決定し、スタッド固定ネジ８を締めて固定する工程でネジ構造によって指導支柱スタッド２の長さを調節するようにされているが、緩みやすい問題があった。又、指導支柱スタッド２はスタッド固定ネジ８によって、決定された長さを維持するための固定を行うことができるが、スタッド固定ネジ８が緩みやすい欠点があった。
【００２１】
下顎プレ−トＢの指導板テ−ブル１０に指導板１０ａを指導板固定ネジ２６で連結する工程で指導板１０ａは、指導テ−ブル１０に指導板固定ネジ２６によって固定され、調節のために着脱が可能となっているが、ネジが小さく、ネジや調節器具を口腔内に落とすなど、医療事故危険性があった。
【００２２】
描記板９ａは、描記板９ａの記録形成工程で描記板形成用ピン１９で樹脂を用いて作製するようになっているが、作製の操作性が悪く、煩雑であった。又、水平的な位置を一定としたスタ−トポジションを調整するための連結工程では、連結器具Ｃを用いて上顎プレ−トＡと下顎プレ−トＢを連結するが、この連結に際しては連結シャフト１４、上顎プレ−トサポ−タ１５、下顎プレ−トサポ−タ１６、プレ−ト間隔固定ネジ１７及び連結ネジ１３を使用する必要があるため、操作性が悪く煩雑であった。
【００２３】
なおまた、患者の口腔（顎）にあまねく適切なプレートの作成は困難であったり、下顎プレート本体に指導描記テーブル及び下顎プレート連結部を着脱させる際にがたつきがあり、スムーズな着脱が困難であるなどの不具合があった。
【課題を解決するための手段】
【００２４】
本発明は、これらの問題点を鑑みてなされたもので、本発明によれば、本発明の目的は、上顎プレ−トと、下顎プレ−ト及びこれらを連結する連結器具から成り、前記上顎プレ−トは、Ｕ字形をした上顎プレ−ト本体のほぼ中央に、指導支柱スタッドを連結するための下方に開口された連結孔と、連結器具を連結するための下方に開口されたスタッド取付孔と、上顎プレ−ト本体の前方に延出された前端部の先端に描記ピンを取付けるための下向きに開口された描記ピン取付孔と、上顎プレ−ト本体の後端部に対称的にそれぞれ下向きに突設された二個の運動路を記録するための補助スタッドとを備え、
【００２５】
前記下顎プレ−トは、Ｕ字形をした下顎プレ−ト本体の中央部に、指導描記テーブル、又は連結器具を連結する連結孔と、下顎プレ−ト本体のＵ字形の後端部に対称的にそれぞれ運動路形成テ−ブルとを備え、
【００２６】
前記連結器具は、上顎プレ−トと連結するためのスタッドを備えた上顎プレ−ト連結部と、下顎プレ−トと連結するためのスタッドとを備えた下顎プレ−ト連結部と、上顎プレ−ト連結部と下顎プレ−ト連結部とを連結するプレ−ト間隔固定ネジとを備え、
【００２７】
前記上顎プレ−トに設けられた連結孔、スタッド取付孔及び描記ピン取付孔並びに前記下顎プレ−トに設けられた連結孔の一部又は全体がマグネットによって形成されている、口腔内描記装置において、
【００２８】
３Ｄ（スリーディメンション）斜面の形態を有する合成樹脂から成る下顎誘導ガイドプレートと描記板を有する指導描記テーブルを下顎プレ−ト本体に圧着、嵌め合い、着脱自在にしてなることを特徴とする、口腔内描記装置により達成される。
【００２９】
また、本発明の目的は、好ましくは、前記口腔内描記装置において、３Ｄ（スリーディメンション）斜面の形態を有する合成樹脂製下顎誘導ガイドプレートが、２０°〜５０°の角度を有する複数枚から成り、着脱自在に適宜選択、嵌め合うことが出来ることを特徴とする、口腔内描記装置により達成される。
【００３０】
また、本発明の目的は、好ましくは、下顎プレート本体に指導描記テーブル及び下顎プレート連結部を設置する、前記口腔内描記装置において、各部材をマグネットにて構成し、前記下顎プレート連結部の補助具の側壁に溝を儲け、且つその前後に２本のピンを設けたことを特徴とする、口腔内描記装置により達成される。
【００３１】
この発明では、描記ピン１及び顎固定ピン（描記ピン１と併用）が、それぞれマグネットによって描記ピン取付孔４０に固定されるため、着脱が簡単で、ネジ締めなどの煩雑な操作を要しない。
【００３２】
また、指導支柱スタッド２は、連結孔２７のマグネットにより固定されるため、顎間隔の調節のための着脱が簡単で、操作の煩雑さがなく、臨床の調整時間が短縮される。
【００３３】
従来、下顎プレ−トＢに別々に設けられていた指導テ−ブル１０と、描記板テ−ブル９を合体し指導描記テーブル３３としたことにより、着脱工程が一度ですむと共に、下顎プレ−トＢとの取付けが連結孔３６ａ、３６ｂのマグネットにより固定されるため着脱が簡単にできる。
【００３４】
このため臨床での指導板１０ａの位置調整工程および記録形成工程と、描記板９ａの記録形成工程、ゴシックア−チ描記工程及びチェックバイト採得工程における口腔からの着脱がすばやく行うことができる。
【００３５】
又、指導描記テーブル３３の前方にある描記テーブル３３ｂには、着脱可能に合成樹脂製の描記板３４を取付け、描記ピン１と合成樹脂製描記板３４との通電を検出することを可能とし、前歯部に遮られてチェックバイト採得工程の小穴が確認できない時も電気検知器２００（図１５参照）により光やブザ−音などで確認できる。
【００３６】
更に、上顎プレ−トＡと下顎プレ−トＢを連結器具Ｃを用いて連結し、上下、水平的な位置を一定としたスタ−トポジションを調整するための連結工程、調整工程及び連結解除工程が、マグネットによる着脱により簡単に行える。更に連結器具Ｃは、プレ−ト間隔固定ネジ１７を緩めるだけで上顎プレ−ト連結部２９と下顎プレ−ト連結部３０に分離できるようになされており、連結解除が短時間で行える。
【発明の効果】
【００３７】
本発明の口腔内描記装置においては、３Ｄ（スリーディメンション）斜面の形態を有する合成樹脂から成る下顎誘導ガイドプレートと描記板を有する指導描記テーブルを下顎プレ−ト本体に圧着、嵌め合い、着脱自在にすることができるので、口腔内記録作業が安全、確実に且つ容易に行うことができる。
【００３８】
また、本発明の口腔内描記装置においては、患者の口腔にあわせて、下顎誘導ガイドプレートを適宜角度のものとすることができるので、口腔内記録作業が安全、確実に且つ容易に行うことができる。
【００３９】
また、本発明の口腔内描記装置においては、下顎プレート本体に指導描記テーブルユニット及び下顎プレート連結部を設置する各部材をマグネットにて構成し、この下顎プレート連結部補助具の側壁に溝を儲け、且つその前後に２本のピンを設けたので、下顎プレート本体、指導描記テーブル及び下顎プレート連結部間のがたつきがなく、スムーズな着脱が行える。
【００４０】
また、上顎プレ−ト及び下顎プレ−トをＵ字形形態とすることにより、上顎プレ−トを口蓋に密着して取付けられると共に、下顎プレ−トも上方に位置し舌が圧迫されることを防止できる。又、下顎プレ−トのくり抜かれた部分に患者の舌を収めることが可能となり、下顎プレ−トによって舌が圧迫されたり、又記録時に舌の圧力によって下顎プレ−トが持ち上げられることを防いでいるため精密な測定記録が行える。
【００４１】
前記上顎プレ−トに設けられた連結孔、スタッド取付孔及び描記ピン取付孔並びに、前記下顎プレ−トに設けられた連結孔の一部又は全体がマグネットによって形成されており、ネジ類を一切使用していないことから前記口腔内記録操作の各々の作業が簡単に短時間に行える。
【００４２】
具体的には描記ピン及び顎固定ピン（描記ピンと併用）が、それぞれマグネットによって描記ピン取付孔に固定されるため、着脱が簡単で、交換のたびのネジ締めなどの煩雑な操作を要しない。
【００４３】
指導支柱スタッドは、連結孔のマグネットにより固定されるため、顎間隔の調節のための着脱が簡単で、操作の煩雑さがなく、臨床の調整時間が短縮される。      
【００４４】
連結解除工程でプレ−ト間隔固定ネジを緩めるだけで上顎プレ−ト連結部と下顎プレ−ト連結部に分離できるようになり連結解除が短時間で行える。
【００４５】
更に従来、下顎プレ−トに別々に設けられていた指導テ−ブルと、描記テ−ブルを合体し指導描記テーブルとしたことにより、着脱工程が一度で済むと共に、下顎プレ−トとの取付けが連結孔のマグネットにより固定されるため着脱が簡単にできる。
【００４６】
このため臨床での指導板の位置調整工程および記録形成工程と、描記板の記録形成工程、ゴシックア−チ描記工程及びチェックバイト採得工程における口腔からの着脱がすばやく行うことができる。
【００４７】
又、指導描記テーブルの前方にある描記テーブルには、描記ピンと金属描記板部との通電を検出することを可能とし、前歯部に遮られてチェックバイト採得工程の小穴が確認できない時も電気検知器により光やブザ−音などで確認できる。
【発明を実施するための最良の形態】
【００４８】
以下、この発明の好適な実施形態を図１から図１７を参照にしながら、詳細に説明する。従来技術と同様の機能形態には同一符号を付して重複する説明を省略する。
なお、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００４９】
先ず、以下に本発明の概略を説明する。
ジョーリレーターは、上顎フレームと下顎フレーム、及びそれらを連結してスタートポジションに位置づける連結器具から構成される。上顎フレームは即時重合レジンによって上顎の咬合床に取り付けられ、下顎フレームは下顎の咬合床に取り付けられる。その手順としては、
（１）患者の口腔に合った下顎誘導ガイドプレート、すなわち適宜角度を有する下顎誘導ガイドプレートを選択し、下顎プレート本体に嵌め込む。
（２）次いで、患者の顎を前に出し、動くことにより、軌跡が噛み合わせの位置を確定し、尖ったピン（細い針状のもの）により描記板に描かれる。
（３）記録した描記板を外し、軌跡に孔を穿つ。これにより、位置が確定し、患者は顎を楽にすることができる。
（４）すなわち、上の針が孔に入り、位置が決まり、これにより穿つこととなり、針が樹脂部分を突き抜け、針が下面に接触し、通電による確認が可能となる。  なお、これは歯に触れることなく、口腔内記録を採ることができる。
【００５０】
ジョーリレーターは以下のように取り付けられる。
（ａ）上顎フレームと下顎フレームをスタートポジションに位置づけるための連結器具、連結ネジによって、分解・組み立てができるようになっている。
（ｂ）咬合床に取り付ける作業の前に、上顎フレームと下顎フレームを連結器具で連結して、スタートポジションに位置づけしておく。
（ｃ）連結ネジは解除すると上顎フレームと下顎フレームに分解される。
連結器具で連結した状態で、先ず上顎フレームを咬合床に仮着する。仮着には即時重合レジンを用いる。
（ｄ）次に、咬合器を閉じて、その状態のまま、下顎フレームを下顎の咬合床に仮着する。即時重合レジンが硬化した後、専用ドライバーで連結器具の連結ネジを解除する。
（ｅ）連結ネジが解除されると、抵抗なく咬合器を開くことができる。その後、連結器具の上下のパーツを取り外す。代わりに、上顎フレームに描記ピンと指導支柱スタッドを挿入する。また、下顎フレームには、指導描記テーブルをセットする。
（ｆ）指導描記テーブルは、下顎フレーム本体とマグネットやピンによって連結、固定され、自由に取り外しができるようになっている。また、指導描記テーブルには着脱可能な描記板と下顎誘導ガイドプレートをワンタッチで装着できるようになっている。
なお、咬合床を口腔内で維持させる方法は症例によって異なり、一般にはレジンコーピングやボールクラスプが使用される。また、インプラントの症例では、テンポラリーシリンダーなどを利用することにより、作業用模型や口腔内に咬合床を正確に固定することができる。
【００５１】
以下に本発明の実施態様を更に詳述する。
図１に示す本発明の実施の形態の口腔内描記装置は、口蓋の湾曲に近似した立体的な形態とし、更に中央から後方にかけてくり抜いた幅の狭いＵ字形態をした上顎プレ−トＡと、中央から後方にかけてくり抜いた幅の狭いＵ字形態をした下顎プレ−トＢ及びこれらを連結する連結器具Ｃから構成されている。
【００５２】
本発明の口腔内描記装置においては、３Ｄ（スリーディメンション）斜面の形態を有する合成樹脂から成る下顎誘導ガイドプレートと描記板を有する指導描記テーブルを下顎プレ−ト本体に圧着、嵌め合い、着脱自在にすることができるので、口腔内記録作業が安全、確実に且つ容易に行うことができる。
【００５３】
図２において、Ｕは、下顎プレートに着脱自在に設けられた合成樹脂製の下顎誘導ガイドプレートであり、下顎を誘導するためのガイドで、３Ｄ（スリーディメンション）斜面の形態をしている。患者の下顎の態様によって２０°、３０°、４０°、５０°の４種類の角度から選択できる。従って、患者の口腔にあわせて、下顎誘導ガイドプレートＵを適宜角度のものとすることができるので、口腔内記録作業が安全、確実に且つ容易に行うことができる。
【００５４】
図３は、下顎プレート本体ｂに９〜１１に示す指導描記テーブルおよび下顎プレート連結部Ｃを着脱させる補助具Ｄを示す図であり、Ｖは当該下顎プレート連結部の側壁に設けられた溝であり、またＷはその前後に設けられた２本のピンである。これにより、下顎プレート本体ｂ、９〜１１に示す指導描記テーブル及び下顎プレート連結部Ｃ間のがたつきがなく、スムーズな着脱が行える。
【００５５】
前記の上顎プレ−トＡ及び下顎プレ−トＢをＵ字形状とすることにより、上顎プレ−トＡを口蓋に密着して取付けられると共に、下顎プレ−トＢも上方に位置し舌が圧迫されることを防止できる。又、下顎プレ−トＢのくり抜かれた部分に患者の舌を収めることが可能となり、下顎プレ−トＢによって舌が圧迫されたり、又記録時に舌の圧力によって下顎プレ−トＢが持ち上げられることを防いでいる。
【００５６】
図１及び図４（ａ）（ｂ）に示すように、上顎プレ−トＡは、上顎プレ−ト本体ａのほぼ中央に、指導支柱スタッド２を連結するための下方に開口されたマグネットで形成された連結孔２７と、連結器具Ｃを連結するための下方に開口されたマグネットで形成されたスタッド取付孔２８と、上顎プレ−ト本体ａの前方に延出された前端部ｅの先端に描記ピン（トレースピン）１を取付けるための下向きに開口されたマグネットで形成された描記ピン取付孔４０と、上顎プレ−ト本体ａの後端部に対称的にそれぞれ下向きに突設された二個の運動路を記録するための運動路形成補助スタッド３、３とを備えている。
前記の描記ピン１は、ゴシックアーチを描記するピンであり、口腔内落下を防止するため、マグネットによって固定されている。通常、３種類の長さがあり、当該描記ピンは、スプリングによって上下するようになっている。咬合採得の際には後述する描記板に開けられた孔に嵌合し、下顎位を固定し、安定させる。
前記の描記板は、実際にゴシックアーチが描記されるプレートであり、ゴシックアーチ描記後、下顎がロックされるための孔が開けられる。
また、指導支柱スタッド２は、咬合高径を維持しながら、下顎運動を誘導するピンであり、通常、動きをスムーズにするためにボールベアリングが組み込まれている。口腔内に落ちないように、マグネットになっており、３種類の長さがある。
【００５７】
図１に示す指導支柱スタッド２は、突端に回転球４を有し、前記連結孔２７にマグネットで着脱可能に固定され、前記指導板１０ａ形成工程、運動路記録形成工程、描記板形成工程及びゴシックア−チ描記工程において下顎プレ−トＢの指導テ−ブル部３３ａと当接して可塑性材料に軌跡を形成すると共に、指導板１０ａ上を滑走して顎運動を誘導する。
【００５８】
又、運動路形成補助スタッド（サポートスタッド）３、３は同様に突端に回転球４を有し、運動路記録形成工程において下顎プレ−トＢの運動路形成テ−ブル１１、１１と当接して可塑性材料９に軌跡を形成して運動路記録１１ａ、１１ａを記録作製する。又、描記板形成工程及びゴシックア−チ描記工程において下顎プレ−トＢの運動路記録１１ａ、１１ａ上を滑走して顎運動を誘導する。
このサポートスタッド３、３は、下顎運動の３Ｄ軌跡をパテ状シリコーンに記録するスタッドである。
【００５９】
描記ピン１は、マグネットで形成された描記ピン取付孔４０に挿入して着脱可能に固定される。描記ピン１の取付け長さは、長さの異なるピンと交換することにより簡単に行うことが可能にしてある。
【００６０】
この描記ピン取付孔４０には、ゴシックア−チ描記工程では描記ピン１が取付けられ、チェックバイト採得工程では顎固定ピン（描記ピン１と併用）が取付けられる。このように各々の工程で使用するピンを容易に着脱交換することができる（図示せず）。
【００６１】
図５（ａ）（ｂ）に示す、下顎プレ−トＢは、Ｕ字形をした下顎プレ−ト本体ｂの中央部に、指導描記テーブル３３、又は連結器具Ｃを連結するマグネットで形成された連結孔３６ａ、３６ｂと、下顎プレ−ト本体ｂのＵ字形の後端部に対称的にそれぞれ運動路形成テ−ブル１１、１１とを備えている。この図５（ｂ）では連結孔３６ａ、３６ｂの上部に指導描記テーブル３３がマグネットで着脱可能に取付けられている。
【００６２】
前記指導描記テーブル３３は、後方の指導テ−ブル部３３ａと、前方の描記テーブル３３ｂが一体化されている。この指導テ−ブル部３３ａは合成樹脂製下顎誘導ガイドプレート３５が載置され、上顎プレ−トＡの指導支柱スタッド２と対応させるものである。描記テーブル３３ｂには合成樹脂製描記板３４が載置され、ゴシックア−チ描記工程では描記ピン１と対応し、チェックバイト採得工程では顎固定ピン１８と対応させて夫々の操作を行う（図５（ｃ）〜（ｅ）参照）。
【００６３】
運動路形成テ−ブル１１、１１は、パテ状のシリコンラバ−などの可塑性材料を載置し、前記運動路形成工程で上顎プレ−トＡの運動路形成補助スタッド３、３と対応、当接して立体的に運動路記録１１ａを彫刻記録して作製する。
【００６４】
図１（ｃ）に示す連結器具Ｃは、上顎プレ−トＡと連結するためのスタッド３１ａ，３１ｂを備えた上顎プレ−ト連結部２９と、下顎プレ−トＢと連結するためのスタッド３２ａ，３２ｂ、３２ｃを備えた下顎プレ−ト連結部３０と、その上顎プレ−ト連結部２９と下顎プレ−ト連結部３０とを連結するプレ−ト間隔固定ネジ１７とから構成されている。
【００６５】
この連結器具Ｃは、上顎プレ−トＡと下顎プレ−トＢを連結し、上顎プレ−トＡと記録床Ｘおよび下顎プレ−トＢと記録床Ｙを上下、水平的な位置を一定としたスタ−トポジションに調整する。最適な位置に調整した後に即時重合レジンなどの結合剤で固定するため前記連結工程及び調整結合工程で調節性咬合器１００（図１７参照）と共に位置決めのために使用される。
【００６６】
これらの工程の後、上顎プレ−トＡと下顎プレ−トＢを分解する連結解除工程で、プレ−ト間隔固定ネジ１７を緩めるだけで上顎プレ−ト連結部２９と下顎プレ−ト連結部３０に分離できるようになされており、連結解除が短時間で行える。
【００６７】
前記上顎プレ−トＡに設けられた連結孔２７、スタッド取付孔２８及び描記ピン取付孔４０並びに、前記下顎プレ−トＢに設けられた連結孔３６ａ、３６ｂの一部又は全体がマグネットによって形成されていることから前記口腔内記録操作の各々の作業が簡単に短時間に行える。
【００６８】
又、描記ピン１及び顎固定ピン（描記ピン１と併用）が、それぞれマグネットによって描記ピン取付孔４０に固定されるため、着脱が簡単で、ネジ締めなどの煩雑な操作を要しない。
【００６９】
指導支柱スタッド２は、連結孔２７のマグネットにより固定されるため、顎間隔の調節のための着脱が簡単で、操作の煩雑さがなく、臨床の調整時間が短縮される。
【００７０】
更に従来、下顎プレ−トＢに別々に設けられていた指導テ−ブル１０と、描記テ−ブル９を合体し指導描記テーブル３３としたことにより、着脱工程が一度で済むと共に、下顎プレ−トＢとの取付けが連結孔３６ａ、３６ｂのマグネットにより固定されるため着脱が簡単にできる。
【００７１】
このため臨床での指導板１０ａの位置調整工程及び記録形成工程と、描記板９ａの記録形成工程、ゴシックア−チ描記工程及びチェックバイト採得工程における口腔からの着脱がすばやく行うことができる。
【００７２】
又、指導描記テーブル３３の前方にある描記板３３ｂには、描記ピン１と金属描記板部３４との通電を検出することを可能とし、前歯部に遮られてチェックバイト採得工程の小穴が確認できない時も電気検知器２００（図１６参照）により光やブザ−音などで確認できる。
【図面の簡単な説明】
【００７３】
【図１】本発明の実施の形態の口腔内描記装置の斜視図であり、（ａ）は上顎プレートＡ、（ｂ）は下顎プレ−トＢ、（ｃ）は連結器具Ｃの斜視図である。
【図２】本発明の各種下顎誘導ガイドプレートＵを示す斜視図。
【図３】本発明の指導描記テーブル３３の連結補助具Ｄを示す斜視図である。
【図４】（ａ）は上顎プレ−トＡの平面図、（ｂ）はその底面図である。
【図５】（ａ）は下顎プレ−トＢの平面図、（ｂ）はその底面図である。
【図６】従来技術の上顎プレ−トＡの平面図。
【図７】図５のＡ２−Ａ２線による一部断面を示す正面図。
【図８】従来技術のピン装置の部分拡大断面図。
【図９】従来技術の下顎プレ−トＢの右側面図。
【図１０】従来技術の描記板の断面図。
【図１１】従来技術の下顎プレ−トＢの表面上に描記板、指導板、顎運動路を形成した断面図。
【図１２】従来技術の指導板の斜視図。
【図１３】（ａ）従来技術の連結器具の平面図、（ｂ）その正面図。
【図１４】従来技術の上顎プレ−トの上顎内における位置を示す斜視図。
【図１５】従来技術の下顎プレ−トの下顎内における位置を示す斜視図。
【図１６】従来技術の電気検知器との接続を示す模式図。
【図１７】調節性咬合器を示す斜視図。
【符号の説明】
【００７４】
Ａ    上顎プレ−ト
Ｂ    下顎プレ−ト
ａ    上顎プレ−ト本体
ｂ    下顎プレ−ト本体
Ｃ    連結器具
Ｄ    指導描記テーブル連結補助具
ｄ    下顎プレ−トの記録床連結部
ｅ    上顎プレ−ト本体の前端部
ｆ    ピン装置
ｇ    下顎プレ−ト本体の前端部
ｈ    ピン保持装置
Ｕ    下顎誘導ガイドプレート
Ｖ    溝
Ｗ    ピン
Ｘ    上顎記録床
Ｙ    下顎記録床
ｍ    マグネット
１    描記ピン
２    指導支柱スタッド
３    運動路形成補助スタッド
４    回転球
５    ピンストッパ−
６    弾力材
７    弾力材止
８    スタッド固定ネジ
９    描記テ−ブル
１０    指導テ−ブル
１０ａ  指導板
１１    運動路形成テ−ブル
１１ａ  運動路記録
１２    金属線連結部
１３    連結ネジ
１４    連結シャフト
１５    上顎プレ−トサポ−タ
１６    下顎プレ−トサポ−タ
１７    プレ−ト間隔固定ネジ
２３    ピン用スプリング
２４    円筒状保持部
２５    下顎プレ−ト本体固定ネジ
２６    指導板固定ネジ
２７    上顎連結孔
２８    スタッド取付孔
２９    上顎プレ−ト連結部
３０    下顎プレ−ト連結部
３１ａ、ｂ  スタッド
３２ａ、ｂ、ｃ  スタッド
３３    指導描記テーブル
３３ａ  指導テーブル
３３ｂ  描記テーブル
３４    合成樹脂製描記板
３５    合成樹脂製描記板取付ネジ
３５ａ  ネジ孔
３６ａ、ｂ  下顎連結孔
３６ｍ  下顎連結マグネット部
４０    描記ピン取付孔
４０ｍ  ピン連結マグネット部
【図１】
2007075478.tif 000003
【図２】
2007075478.tif 000004
【図３】
2007075478.tif 000005
【図４】
2007075478.tif 000006
【図５】
2007075478.tif 000007
【図６】
2007075478.tif 000008
【図７】
2007075478.tif 000009
【図８】
2007075478.tif 000010
【図９】
2007075478.tif 000011
【図１０】
2007075478.tif 000012
【図１１】
2007075478.tif 000013
【図１２】
2007075478.tif 000014
【図１３】
2007075478.tif 000015
【図１４】
2007075478.tif 000016
【図１５】
2007075478.tif 000017
【図１６】
2007075478.tif 000018
【図１７】
2007075478.tif 000019